(57)【要約】【課題】  床化粧材が受ける風の影響を最小限に抑えて床化粧材が捲れ上がるのを防ぐとともに、雨水等の排水を可能にして、安全性および意匠性の高い優れた床化粧材を提供する。【解決手段】  床化粧材１には、側面を覆う風除板部材１３が設けられている。この風除板部材１３は透水性を有し、雨水等を排水することが可能となっている。そして、床面３に複数枚の床化粧材１を敷きつめて床２を構成するにあたっては、風除板部材１３を備えた床化粧材本体１１を、床２の外周縁部に配置することにより、風除板部材１３が床化粧材１の下面側への風の流入を遮り、捲れ上がりを防止する。【選択図】  図１
2008291551.tif 000002
【特許請求の範囲】
【請求項１】
床面に複数枚の床化粧材本体を敷きつめて床を構成する床化粧材において、前記床化粧材本体の側面には透水性を有する風除板部材が備えられていることを特徴とする床化粧材。
【請求項２】
前記床化粧材本体の裏面には複数本の脚部が設けられるとともに、前記風除板部材は床化粧床材本体の側面における少なくとも前記脚部の上端位置から下端位置までの高さ範囲を覆う大きさで形成されていることを特徴とする請求項１に記載の床化粧材。
【請求項３】
前記風除板部材は、透水性陶板、または陶磁器、ガラス、あるいは廃材等の破砕物に結合材を混練して成形固化させた板状体からなるものであることを特徴とする請求項１または２に記載の床化粧材。
【請求項４】
床面に複数枚の床化粧材本体を敷きつめて床を構成する床化粧材の敷設構造であって、少なくとも一側面に透水性を有する風除板部材が備えられて風の吹き込みを防止する床化粧材本体が、構成される床の外周縁部に配置されて、前記風除板部材が前記床の外周縁を覆うように構成されたことを特徴とする床化粧材の敷設構造。
【発明の詳細な説明】
【技術分野】
【０００１】
本発明は、ベランダやバルコニー、屋上等の床面に敷設して使用する床化粧材およびその敷設構造に関する。
【背景技術】
【０００２】
ベランダやバルコニー、屋上等に床材を敷設してデッキを形成する技術には、従来、係止溝を備えた固定基板を根太上に複数個ねじ止めするとともに、バルコニー等の寸法に合わせて切断した長尺のデッキ材の裏面側の突条を固定基板の係止溝に圧入嵌合するなどの構造が提案されていた。
【０００３】
これに対し、近年では、例えば特許文献１に記載されているように、コンクリート等のスラブ上に床材を敷設して床面を覆う構成の床化粧材として、硬質合成樹脂材料を矩形状に成形した部材で、裏面側とスラブ面との間に排水空間を形成するための複数本の脚が一体形成されてなる床化粧材が提案されており、上面に樹脂またはタイル等の表面材を接着固定または一体成形した構造のユニット式床化粧材も実用化されている。
【０００４】
このようなユニット式床化粧材は、バルコニーやベランダ等の屋外に敷設した場合、床化粧材の下面側（裏面側）に風が吹き込むと、敷設した床化粧材の全体が捲れ上がってしまうことがあった。そこで、このような捲れ上がりを解消するために、例えば特許文献２に記載されているように、タイルユニットを敷設して床面を形成する際に、その床面周囲の少なくとも一部に透水性開口を有する樹脂製フロアマットを敷設して風の影響を軽減するという、タイルユニットの敷設構造も提案されている。
【０００５】
前記従来の床化粧材の敷設構造は、立ち上がり壁で囲まれたバルコニー等の床面に、表面材がタイル等の比較的重い床化粧材を敷設する場合にはある程度有効な手法となる。しかし、立ち上がり壁ではなく、手すりだけが設けられたバルコニーに、このような床化粧材を敷設した場合には、手すりを通り抜けた風が床化粧材の下面側に入り込んで床化粧材の全体が捲れ上がる、吹き上がり現象を起こしてしまうおそれがあった。また、このような問題は、高さがそれほどないパラペットが配設された屋上などに床化粧材を敷設する場合にも発生する可能性があった。
【０００６】
また、かかる床化粧材の敷設作業にあたっては、専門の施工業者が作業をする場合もあるが、住宅等の小規模の建物においては専門の施工業者ではなく個人で敷設作業をする場合も考えられるため、その施工性のよさや、メンテナンスや掃除の際の床化粧材の取り外し作業のしやすさ等も配慮する必要があった。
【０００７】
そこで、このような問題点を解消するために、特許文献３に記載されたような床化粧材も提案されている。この床化粧材は、図６に示すように、縦断面形が略コ字形の横長の床部材１０１を床化粧材１０の端部に嵌め込んで、床化粧材１０の下面に風が吹き込むのを防止するようになっている。また、床部材１０１には、下部に排水孔１０２が設けられており、床化粧材１０の下部に流入した雨水等を排水孔１０２から排出できるようになっている。
【特許文献１】実開平５−８５９２９号公報
【特許文献２】特開平７−１０１９１号公報
【特許文献３】特開平１０−１１５０７４号公報
【発明の開示】
【発明が解決しようとする課題】
【０００８】
しかし、前記床化粧材１０は、床部材１０１に設けられた排水孔１０２の開口率や風の強さによっては、この排水孔１０２からも風が浸入しやすくなるおそれがあった。そこで、風の影響が強い場所では、床化粧材の下面側に風が入り込むおそれのあるこのような孔（開口）をできるだけ設けず、かつ、雨水等の排水性も兼ね備えた床化粧材の構造とすることが求められていた。
【０００９】
本発明は、上記のような問題点にかんがみてなされたものであり、バルコニーやベランダ等の床面をユニット式の床化粧材を敷設して形成するにあたり、その床化粧材が受ける風の影響を最小限に抑えて床化粧材が捲れ上がるのを防いで、安全性および意匠性の高い優れたものとするとともに、雨水等の排水性も確保することのできる床化粧材およびその敷設構造を提供することを目的としている。
【課題を解決するための手段】
【００１０】
前記の課題を達成するため、本発明は、床面に複数枚の床化粧材本体を敷きつめて床を構成する床化粧材において、前記床化粧材本体の側面には透水性を有する風除板部材が備えられていることを特徴とする。
【００１１】
かかる特徴的構成を有する床化粧材によって、風除板部材が床化粧材本体の下面側へ風が吹き込むのを遮るので、捲れ上がったり浮き上がったりするのを防止でき、床化粧材が受ける風の影響を最小限に抑えることが可能になる。また、この風除板部材が透水性を有するので、床化粧材本体の下面側に雨水等が浸入しても、風除板部材を通して排水することができる。
【００１２】
また、本発明は、前記床化粧材本体の裏面には複数本の脚部が設けられるとともに、前記風除板部材は床化粧床材本体の側面における少なくとも前記脚部の上端位置から下端位置までの高さ範囲を覆う大きさで形成されていることを特徴とする。
【００１３】
これにより、床化粧材を敷設した床面を安定的に保持して、最小限の部材を添設して風による吹き上がり現象を抑えることが可能になる。
【００１４】
本発明において、前記風除板部材は、透水性陶板、または陶磁器、ガラス、あるいは廃材等の破砕物に結合材を混練して成形固化させた板状体からなるものであることが好ましい。
【００１５】
このような構成により、風除板部材は風を遮るとともに、雨水等の透過を許容することができるので、床化粧材本体の下面側への風の吹き込みの防止と雨水等の排水との両方を兼ね備えた構成となっている。
【００１６】
また、本発明は、床面に複数枚の床化粧材本体を敷きつめて床を構成する床化粧材の敷設構造であって、少なくとも一側面に透水性を有する風除板部材が備えられて風の吹き込みを防止する床化粧材本体が、構成される床の外周縁部に配置されて、前記風除板部材が前記床の外周縁を覆うように構成されたことを特徴とする。
【００１７】
これにより、隣接して敷設された床化粧材同士の側面に風除板部材が連続して床の外周縁部を覆い、風が吹き付けても側面が塞がれているので、下面側に風が吹き込むことがなくなり、床化粧材の捲れ上がりを防止する。また、床化粧材同士の連結部の隙間などから雨水等が床化粧材の下面側に僅かに入り込むことがあっても、風除板部材を通して床の外部へ雨水等を排水することが可能であり、長期間にわたって安定した床化粧材の敷設構造を維持することができ、風雨による影響を効果的に防止することが可能となる。
【発明の効果】
【００１８】
上述のように構成される本発明の床化粧材およびその敷設構造によれば、床化粧材を敷設することによって形成した床における風の影響を最小限に抑えて、床化粧材が捲れ上がったり浮き上がったりするのを防ぎ、床化粧材を安定的に保持しつつ、下面側へ浸入した雨水等を排水することも可能となって、耐久性、安全性および意匠性のいずれにも優れたものとすることができる。
【発明を実施するための最良の形態】
【００１９】
以下、本発明に係る床化粧材およびその敷設構造を実施するための最良の形態について説明する。
【００２０】
本発明において、床化粧材１は住宅のベランダやバルコニー、テラスなどの屋外に設けられている床面３や屋上スラブなどに、複数枚を敷設して床２を構成するものである。この床化粧材１には、風の影響による吹き上がり現象を防止するために、風除板部材１３が設けられている。かかる構成の床化粧材１および風除板部材１３の形態には多数のバリエーションがあるが、そのうちのいくつかについて以下の実施例で示す。
【実施例１】
【００２１】
本発明に係る床化粧材の実施例１について図面を参照しつつ説明する。図１は本発明に係るの床化粧材の一例を示す斜視図であり、図２は床化粧材本体の斜視図である。
【００２２】
床化粧材１の床化粧材本体１１は、例えば合成樹脂製の３０ｃｍ角の基材１１ｂの上面に表面化粧材１１ａを一体にした部材で形成されている。表面化粧材１１ａについては、図示しないが、例えば、合成樹脂材による約１０ｃｍ角の連続模様で基材１１ｂと一体に成形されたり、前記基材１１ｂの上面に木質化粧材、レンガ、磁器タイル等の表面材を接着したりして形成されるなど、床化粧材１の表面意匠としてどのような形態であってもよい。また、この床化粧材本体１１の裏面側には、複数本の脚部１２が均等配置されて、基材１１ｂに対して一体的に備えられている。床化粧材本体１１には、その一側面または二側面に風除板部材１３が設けられている。
【００２３】
図示するように、風除板部材１３は、床化粧材本体１１の側面において、少なくとも脚部１２間の隙間を覆うように、脚部１２…１２の側部に配設されており、床化粧材本体１１の側面下半部を覆う大きさの板状体で形成されている。
【００２４】
この風除板部材１３は、床化粧材本体１１の側面を遮蔽するとともに、透水性を有する材質からなる。かかる材質としては、例えば、ポリウレタンやポリエチレンなどの合成樹脂系材料を発泡成形したスポンジ材や、透水性陶板を用いることができる。また、適度な重量があれば風耐力を高めることができるので、風除板部材１３の材質として、透水性陶板、陶磁器、陶板、ガラス、本石、ゴム、あるいは樹脂材、またはこれらの材質の廃材等を破砕した破砕物に、エポキシ系樹脂あるいはアクリル系樹脂等の結合材を混練して成形固化させた板状体を用いることも好ましい。
【００２５】
かかる風除板部材１３は、耐候性を有する接着剤やブチルテープ等の接着テープを用いて、床化粧材本体１１の脚部１２…１２の側部に接着固定されている。風除板部材１３は、床化粧材本体１１の側面のうち、いずれか一面または隣り合う二面に配設されており、床面３に敷きつめたときの配置場所によって、風除板部材１３を一枚備えた床化粧材１と、二枚備えた床化粧材１とを適宜選択して配置すればよい。
【００２６】
すなわち、かかる床化粧材１の敷設構造は、図３に例示するような形態であることが好ましく、床面３に複数枚の床化粧材１を敷きつめて床２が構成される。床化粧材１は、図示しない雌雄連結部等で複数枚が互いに連結される。ここで、風除板部材１３を一面または二面に備えた床化粧材１は、少なくとも、構成される床２の外周縁部に配置される。これにより、隣接する床化粧材１同士で風除板部材１３が側面に連続することになり、その結果、風除板部材１３は、床２全体に対してその外周縁を覆うものとなる。床２の内側に配置する床化粧材１には風除板部材１３が備えられてなくともよい。
【００２７】
また、構成される床２の外周縁部にある床化粧材１の裏面全体に風除板部材１３が設けられてもよい。
【００２８】
このような敷設構造により、風除板部材１３で外周縁が覆われた床２（床化粧材１）は、風が吹き付けてもその側面が風除板部材１３により塞がれているので、床２（床化粧材１）の下面側に風が吹き込むことがなくなり、床２（床化粧材１）の捲れ上がりを防止することができる。また、床化粧材１同士の連結部の隙間などから雨水等が下面側に僅かに浸入することがあっても、風除板部材１３が透水性を有するので、雨水等は風除板部材１３を透過して、床２の外部へ排出される。
【００２９】
したがって、床化粧材１が捲れ上がったり浮き上がったりするのを防止することができるとともに、排水性も確保することができる。これにより、床化粧材１を長期間にわたって安定した敷設状態で維持することができ、風の影響により捲れ上がったり吹き上がったりするのを効果的に防止することが可能となって、安全性および意匠性に優れた床２を構成することができる。
【００３０】
また、かかる床化粧材１は施工性も良好である。すなわち、床化粧材１にあらかじめ風除板部材１３が備えられており、構成する床２の形状や大きさに合わせて、風除板部材１３を備えた床化粧材１を床２の外周縁部に配設し、その内側には風除板部材１３のない床化粧材を配設すればすむので、敷設作業も容易に行うことができる。
【実施例２】
【００３１】
次に、本発明に係る床化粧材の実施例２について図面を参照しつつ説明する。図４は本発明の実施例２に係る床化粧材を示す分解斜視図、図５は図４の床化粧材における風除板部材および支持部材を示す斜視図である。
【００３２】
なお、以下に説明する実施例２の形態に係る床化粧材１は、床化粧材本体１１の構成が前記実施例１とほぼ同様であり、風除板部材１３に特徴を有するものであるので、この風除板の構成について詳細に説明し、他の部分については上記実施例１と共通の符号を用いて説明を省略する。
【００３３】
この形態においては、床化粧材本体１１の一側面に、床化粧材本体１１とは別体で形成された支持部材１４が添設される。風除板部材１３は、この支持部材１４に添設されている。
【００３４】
図４に例示する床化粧材１の場合、支持部材１４は、床化粧材本体１１の上面に被さるカバー板部１４１と、カバー板部１４１の両端に垂設された略Ｌ字状の脚部１４２、１４２が側面視略コ字状をなすように一体化されて形成されており、床面３に安定して載置できるように構成されている。
【００３５】
風除板部材１３は、前記実施例１にて示した材質からなる板状体であり、床化粧材本体１１の一側面の全体を覆う大きさで形成されている。そして、風除板部材１３は支持部材１４の脚部１４２、１４２の側面に接着固定されている。
【００３６】
これにより、床面３に複数枚の床化粧材１を敷設して床２を構成し、外周縁部に風除板部材１３を有する床化粧材１を配置することで、床２の外周縁部を風除板部材１３で連続的に塞いだ敷設構造をとることができ、床化粧材１の下面側に風が吹き込むことがなくなり、床化粧材１の捲れ上がりを防止できる。また、風が床化粧材１の下面側に入り込むことがあっても、風除板部材１３が外方へ開いて入り込んだ風を逃がすので、床化粧材１が捲れ上がったり浮き上がったりするのを防止できる。
【００３７】
この場合、支持部材１４に一体とされた風除板部材１３は、支持部材１４を床化粧材本体１１の側面にあらかじめ嵌め込んで固定されていても、また施工現場にて必要数の床化粧材本体１１の側面に支持部材１４を嵌め込んで固定されてもよい。風除板部材１３を備えた支持部材１４を施工現場にて必要箇所に固定する場合は、構成する床２の外周縁部と内側とで共通の床化粧材本体１１を用いることが可能になり好ましい。
【００３８】
以上のように構成されることにより、床化粧材１の風除板部材１３は、下面側に風が吹き込むのを遮り、雨水等が床化粧材１の下面側へ浸入したとしても風除板部材１３を通して排水することができるので、床化粧材１の捲れ上がりや浮き上がりを防止しつつ排水性を確保することが可能となっている。
【産業上の利用可能性】
【００３９】
本発明は、住宅等の建物におけるバルコニーやベランダ等の風の影響を受けやすい床面に敷設して好適に使用することができる。
【図面の簡単な説明】
【００４０】
【図１】図１は本発明に係るの床化粧材の一例を示す斜視図である。
【図２】図１の床化粧材における床化粧材本体の斜視図である。
【図３】本発明に係る床化粧材の敷設構造の一例を示す平面図である。
【図４】本発明に係る床化粧材の実施例２を示す分解斜視図である。
【図５】図４の床化粧材における風除板部材および支持部材を示す斜視図である。
【図６】従来例の床化粧材を示す斜視図である。
【符号の説明】
【００４１】
１      床化粧材
１１    床化粧材本体
１２    脚部
１３    風除板部材
１４    支持部材
１４１  カバー板部
１４２  脚部
２      床
３      床面
【図１】
2008291551.tif 000003
【図２】
2008291551.tif 000004
【図３】
2008291551.tif 000005
【図４】
2008291551.tif 000006
【図５】
2008291551.tif 000007
【図６】
2008291551.tif 000008